(57)【要約】【課題】集塵ケースを取り外したときの清掃を容易にしたり、集塵ケースの気流の流れにより集塵ケースを汚れにくくすることで、集塵ケース内の清掃を容易にし使用性を向上させた電気掃除機を提供することを目的とする。【解決手段】掃除機本体に着脱自在な集塵ケース１８を備え、前記集塵ケース１８は吸引風から塵埃を遠心分離する遠心分離部２９を有し、前記遠心分離部２９は前記集塵ケース１８に着脱自在に設けられたもので、遠心分離部２９を取り外すことができ、清掃が容易にできるものである。これにより、集塵ケース１８を取り外したときの清掃を容易にし、集塵ケース１８内の清掃を容易にし使用性を向上させた電気掃除機を提供できる。【選択図】  図１
2004358033.tif 000002
【特許請求の範囲】
【請求項１】
吸引風を発する電動送風機を内蔵する掃除機本体と、吸引した塵埃を捕集する前記掃除機本体に着脱自在な集塵ケースとを備え、前記集塵ケースは吸引風から塵埃を遠心分離する遠心分離部を有し、前記遠心分離部は前記集塵ケースに着脱自在に設けられた電気掃除機。
【請求項２】
集塵ケースに設けた係止部により遠心分離部を着脱自在に係止する請求項１記載の電気掃除機。
【請求項３】
遠心分離部に凸部または凹部を設け、集塵ケースには前記凸部、凹部に係合する凹部または凸部を設けることで、前記集塵ケースに前記遠心分離部を着脱自在に構成した請求項１記載の電気掃除機。
【請求項４】
集塵ケースは、開口を有する本体ケースと前記開口を覆う開閉自在な蓋体から構成され、前記開口より、遠心分離部の着脱を行う請求項１〜３のいずれか１項に記載の電気掃除機。
【請求項５】
吸引風を発する電動送風機を内蔵する掃除機本体と、吸引した塵埃を捕集する集塵ケースとを備え、前記集塵ケースは吸引風から塵埃を遠心分離する遠心分離部を有し、前記集塵ケースと前記遠心分離部により形成された吸引風の流れない空間部と、前記遠心分離部内とを連通する連通部を設けた電気掃除機。
【請求項６】
遠心分離部は集塵ケースに着脱自在に設けられた請求項５記載の電気掃除機。
【発明の詳細な説明】
【０００１】
【発明の属する技術分野】
本発明は、吸気を旋回して塵埃を遠心分離する集塵ケース（サイクロン集塵部）を有する電気掃除機に関するものである。
【０００２】
【従来の技術】
従来のサイクロン集塵部を有した電気掃除機は、吸引されてサイクロン集塵部で分離された塵埃は、サイクロン集塵部内の旋回気流の影響を受けながら、単純にその集塵部の下方に落積していく構成の物でサイクロン集塵部の汚れに対する配慮が無かった（例えば、特許文献１、特許文献２参照）。
【０００３】
【特許文献１】
特開平９―２５３０１１号公報
【特許文献２】
特開２０００―３４２４９２号公報
【０００４】
【発明が解決しようとする課題】
ところがこのような電気掃除機にあっては、サイクロン集塵部に流入する塵埃を含んだ空気は円筒状に構成したサイクロン集塵部に円周接線方向に導入し、サイクロン集塵部の内壁を沿うように旋回し、塵埃を集塵部に蓄積するもので遠心分離部や、集塵部が汚れるもので塵埃を捨てても見苦しい物であり、時折水洗いなどにより、清掃している。しかし、集塵ケース内の凹凸などにより細部まできれいにし難い等の課題を有している。
【０００５】
本発明は上記従来の課題を解決しようとするものであって、集塵ケースを取り外したときの清掃を容易にしたり、集塵ケースの気流の流れにより集塵ケースを汚れにくくすることで、集塵ケース内の清掃を容易にし使用性を向上させた電気掃除機を提供することを目的とする。
【０００６】
【課題を解決するための手段】
上記課題を解決するために本発明は、吸引風を発する電動送風機を内蔵する掃除機本体と、吸引した塵埃を捕集する前記掃除機本体に着脱自在な集塵ケースとを備え、前記集塵ケースは吸引風から塵埃を遠心分離する遠心分離部を有し、前記遠心分離部は前記集塵ケースに着脱自在に設けられたもので、遠心分離部を取り外すことができ、清掃が容易にできるものである。
【０００７】
【発明の実施の形態】
本発明の請求項１記載の発明は、吸引風を発する電動送風機を内蔵する掃除機本体と、吸引した塵埃を捕集する前記掃除機本体に着脱自在な集塵ケースとを備え、前記集塵ケースは吸引風から塵埃を遠心分離する遠心分離部を有し、前記遠心分離部は前記集塵ケースに着脱自在に設けられたもので、遠心分離部を取り外すことができ、清掃が容易にできるものである。
【０００８】
本発明の請求項２記載の発明は、集塵ケースに設けた係止部により遠心分離部を着脱自在に係止するもので、本体ケースの弾性を利用し遠心分離部を容易に取り外すことができ、清掃ができるものであるである。
【０００９】
本発明の請求項３記載の発明は、遠心分離部に凸部または凹部を設け、集塵ケースには前記凸部、凹部に係合する凹部または凸部を設けることで、前記集塵ケースに前記遠心分離部を着脱自在に構成したもので、分離室での塵埃分離性能を損なうことが無く遠心分離部の着脱ができ、清掃が容易にできるものであるである。
【００１０】
本発明の請求項４記載の発明は、集塵ケースは、開口を有する本体ケースと前記開口を覆う開閉自在な蓋体から構成され、前記開口より、遠心分離部の着脱を行うもので、遠心分離部の固定を確実に行えるとともに、汚れた所の操作が少なく容易に取り外し清掃ができるものであるである。
【００１１】
本発明の請求項５記載の発明は、吸引風を発する電動送風機を内蔵する掃除機本体と、吸引した塵埃を捕集する集塵ケースとを備え、前記集塵ケースは吸引風から塵埃を遠心分離する遠心分離部を有し、前記集塵ケースと前記遠心分離部により形成された吸引風の流れない空間部と、前記遠心分離部内とを連通する連通部を設けたもので、空間部の空気を集塵室に引き込むことにより空間部を汚れにくくするものである。
【００１２】
本発明の請求項６記載の発明は、遠心分離部は集塵ケースに着脱自在に設けられたもので、汚れにくくすると共に清掃を容易にするものである。
【００１３】
【実施例】
（実施例１）
以下本発明の第１の実施例を、図１〜図４を用いて説明する。
【００１４】
図４に示すように、掃除機本体１は、手元ハンドル２とホース継ぎ手３付きのホース４とを介して延長管５を連結し、延長管５に取り付けた塵埃を吸引する吸込具６に連通している。また、掃除機本体１は、枢支された１個の前輪キャスター７と一対の後輪８とを備えている。
【００１５】
この掃除機本体１は、図１に示すように、下本体９と上本体１０と本体カバー１１とで外郭を構成している。電動送風機１２は、吸引風を発するもので、前方を第１サポートゴム１３で支持し、後方を第２サポートゴム１４を介して第１モーターカバー１５と第２モーターカバー１６により支持して下本体９に装着し、中本体１７により固定するようにしている。
【００１６】
集塵ケース１８は、本体ケース１９とこの本体ケース１９に軸２０により開閉自在に係止した蓋体２１とで構成し、蓋体ボタン２２を押すことにより蓋体２１と本体ケース１９との係止が外れ、蓋体２１を本体ケース１９より開くよう構成し、この集塵ケース１８を電動送風機１２の吸気上流側、すなわち下本体９の前方に形成した凹部２３に取り外し可能に装着している。
【００１７】
集塵ケース１８は、塵埃を遠心分離する分離室２４と、この分離室２４は略中空円筒状で、電気掃除機の使用状態で前後方向に形成し、掃除機本体１の前方側を前下がりとし、図２及び図３に示すように、掃除機本体１の吸気口２５に連通し分離室２４に吸気を案内する塵埃搬送室２６と、分離室２４と塵埃搬送室２６を連通する第２連通口２７と、分離室２４から塵埃を移送する第１連通口２８を構成した遠心分離部２９を有し、第２連通口２７を介して連通するとともに、塵埃を移送する第１連通口２８を介して塵埃を蓄積する集塵室３０に連通している。この分離室２４の電動送風機１２側の後方に電動送風機１２の吸気側と連通する吸気フィルター３１を配置し、第２連通口２７は吸気フィルター３１の近傍で電動送風機１２側に形成し、第１連通口２８は分離室２４の第２連通口２７と対角で反電動送風機１２側の位置に形成している。
【００１８】
本体ケース１９の内部上方で比較的に弾性を有している所に係止リブＡ３２が、下方掃除機本体１の吸気口２５部近傍に係止リブＢ３３が設けられ、遠心分離部２９の一端を係止し、着脱自在に保持固定している。叉本体ケース１９と遠心分離部２９により構成される空間部３４と前記集塵室３０は、連通部Ａ３５により連通されている。
【００１９】
上記構成による作用は以下の通りである。
【００２０】
掃除機本体１の吸気口２５にホース４のホース継ぎ手３を連結し、ホース４に延長管５を介して吸込具６を連結し、運転を開始すると、吸気口２５より流入した吸気気流は、塵埃搬送室２６を通り第２連通口２７を介して分離室２４に入り、吸気フィルター３１を通って電動送風機１２に吸引される。一方塵埃は、分離室２４にて分離され第１連通口２８を通って集塵室３０に運ばれる。叉、本体ケース１９と遠心分離部２９により構成される空間部３４の空気は連通部Ａ３５により集塵室３０を通り第１連通口２８を介して分離室２４に入り吸気フィルター３１を通って電動送風機１２に吸引されるため、気流の流れが生じ空間部３４への埃等の堆積を防止するとともに、集塵ケース１９を清掃、水洗い等をする時、本体ケース１９の係止リブＡ３２を押し上げ遠心分離部２９の固定を解除し、遠心分離部２９を本体ケース１９より取り外して清掃、水洗い等を行う。
【００２１】
また、図５のように、分離室１９内に吸気フィルター３１と略同軸心状に凹部３６を設け、本体ケース１９に前記凹部３６に係合する凸部３７を設け、前記凸部３７に保持した弾性を有する係止リング３８を介して前記凹部３６に着脱自在に係合している。なお、本実施例においては、本体ケース１９凸部３７を設け、分離室１９内に凹部３６を設けているが、逆であってもかまわない。遠心分離部２９の保持構成を分離室２４の中心部分に構成するため、塵埃の遠心分離性能を損なう事無く着脱が容易に行える。
【００２２】
さらに、図６のように、遠心分離部２９と一体に複数の保持部３９を設け、本体ケース１９外郭より前記保持部３９に係止する保持ネジ４０を配している。本体ケース１９外郭より遠心分離部２９の固定を解除するので汚れた所の操作が少なく比較的に清潔に清掃できる。
【００２３】
（実施例２）
次に本発明の第２の実施例を、図７を用いて説明する。なお上記第１の実施例と同一構成部品については同一符号を付して、その説明を省略する。
【００２４】
塵埃搬送室２６の壁面にて、空間部３４側壁面に連通部Ｂ４１を設けている。
【００２５】
上記構成による作用は以下の通りである。
【００２６】
運転を開始すると、塵埃搬送室２６内が負圧となり空間部３４内の空気が塵埃搬送室２６に吸引され、分離室２４に入り吸気フィルター３１を通って電動送風機１２に吸引されるため、気流の流れが生じ空間部３４への埃等の堆積を防止するものである。
【００２７】
また、図８においては、第１連通口２８の近傍に、空間部３４と連通する連通部Ｃ４２を設けている。運転を開始すると、サイクロン室２９内が負圧となり空間部３４内の空気が第１連通口２８を介して分離室２４に入り吸気フィルター３１を通って電動送風機１２に吸引されるため、空間部３４に気流の流れが生じ、空間部３４への埃等の堆積を防止するものである。
【００２８】
【発明の効果】
本発明によれば、集塵ケースを取り外したときの清掃を容易にしたり、集塵ケースの気流の流れにより集塵ケースを汚れにくくすることで、集塵ケース内の清掃を容易にし使用性を向上させた電気掃除機を提供できる。
【図面の簡単な説明】
【図１】本発明の第１の実施例を示す電気掃除機本体の断側面図
【図２】同電気掃除機の集塵ケースの蓋を開いた状態の一部切欠きした拡大斜視図
【図３】同電気掃除機の集塵ケースの拡大断面図
【図４】同電気掃除機の斜視図
【図５】同電気掃除機の集塵ケースの断面図
【図６】同電気掃除機の他の集塵ケースの断面図
【図７】本発明の第２の実施例を示す電気掃除機の集塵ケースの蓋を開いた状態の一部切欠きした拡大斜視図
【図８】同電気掃除機の集塵ケースの断面図
【符号の説明】
１８  集塵ケース
１９  本体ケース
２４  分離室
２６  塵埃搬送室
２９  遠心分離部
３０  集塵室
３２  リブＡ
３３  リブＢ
３４  空間部
３５  連通部Ａ
３６  凹部
３７  凸部
３９  保持部
４０  保持ネジ
４１  連通部Ｂ
【図１】
2004358033.tif 000003
【図２】
2004358033.tif 000004
【図３】
2004358033.tif 000005
【図４】
2004358033.tif 000006
【図５】
2004358033.tif 000007
【図６】
2004358033.tif 000008
【図７】
2004358033.tif 000009
【図８】
2004358033.tif 000010